(57)【要約】【課題】  トーンジャンプが目立たない表示板を提供する。【解決手段】  表示板は、多数のドットＰ（ｍ，ｎ）〜Ｐ（ｍ＋５，ｎ＋７）を配列したグラデーション表示部１２を有する。ドットＰ（ｍ，ｎ）〜Ｐ（ｍ＋５，ｎ＋７）の大きさは、グラデーション方向における配列で不規則になっている。グラデーション表示部１２は、隣り合う前記ドットが接触する第一の領域Ｓ１と、隣り合う前記ドットが接触しない第二の領域Ｓ２と、隣り合う前記ドットが接触する箇所と隣り合う前記ドットが接触しない箇所とが混在する第三の領域Ｓ３と、を有する。グラデーション表示部１２は、中心部から周辺部に向かって徐々に明るさが変化している。第一の領域Ｓ１と第三の領域Ｓ３の境界Ｂ１と、第三の領域Ｓ３と第二の領域Ｓ２との境界Ｂ２とが、同心円状になっている。【選択図】  図３
2012194217.tif 000002
【特許請求の範囲】
【請求項１】
多数のドットを配列したグラデーション表示部を有する表示板であって、前記グラデーション表示部は、隣り合う前記ドットが接触する第一の領域と、隣り合う前記ドットが接触しない第二の領域と、隣り合う前記ドットが接触する箇所と隣り合う前記ドットが接触しない箇所とが混在する第三の領域と、を有することを特徴とする表示板。
【請求項２】
前記グラデーション表示部は、中心部から周辺部に向かって徐々に明るさが変化していることを特徴とする請求項１に記載の表示板。
【請求項３】
前記第一の領域と前記第三の領域の境界と、前記第三の領域と前記第二の領域との境界とが、同心円状になっていることを特徴とする請求項１に記載の表示板。
【発明の詳細な説明】
【技術分野】
【０００１】
本発明は、グラデーション表示部を有する表示板に関するものである。
【背景技術】
【０００２】
従来より、ドットの大きさを徐々に異ならせることによって明るさを漸次変化させるグラデーション表示部を有する表示板が種々提案されており、例えば特許文献１，２に開示されている。グラデーション表示部のドットは、「網点」と称されることもある。斯かるドットは、明るさが徐々に変化する方向（以下、グラデーション方向と記す）で、大きさが徐々に変化している。
【０００３】
図５は、グラデーション表示部の一部を拡大した模式図である。ドットＱ（ｍ，ｎ）〜Ｑ（ｍ＋５，ｎ＋７）は、明るさが徐々に暗くなる方向に、徐々に大きくなっている。また、グラデーション方向に垂直な方向では、ドットは同じ大きさになっている。つまり、ドットＱ（ｍ，ｎ）〜Ｑ（ｍ＋５，ｎ），ドットＱ（ｍ，ｎ＋１）〜Ｑ（ｍ＋５，ｎ＋１），ドットＱ（ｍ，ｎ＋２）〜Ｑ（ｍ＋５，ｎ＋２），ドットＱ（ｍ，ｎ＋３）〜Ｑ（ｍ＋５，ｎ＋３），ドットＱ（ｍ，ｎ＋４）〜Ｑ（ｍ＋５，ｎ＋４），ドットＱ（ｍ，ｎ＋５）〜Ｑ（ｍ＋５，ｎ＋５），ドットＱ（ｍ，ｎ＋６）〜Ｑ（ｍ＋５，ｎ＋６），ドットＱ（ｍ，ｎ＋７）〜Ｑ（ｍ＋５，ｎ＋７）は、夫々、同じ大きさになっている。
【０００４】
グラデーション表示部は、隣り合うドットＱ（ｍ，ｎ）〜Ｑ（ｍ＋５，ｎ＋２）が接触しない非接触領域Ｓ４と、隣り合うドットＱ（ｍ，ｎ＋７）〜Ｑ（ｍ＋５，ｎ＋７）が接触する接触領域Ｓ５とを有している。図６は、隣り合うドットと接触しないドットを白丸、接触する部分を有するドットを黒丸で表したものである。
【先行技術文献】
【特許文献】
【０００５】
【特許文献１】実用新案登録第２５２６３２３号公報
【特許文献２】特許第４５０１５１５号公報
【発明の概要】
【発明が解決しようとする課題】
【０００６】
しかしながら、非接触領域Ｓ４と接触領域Ｓ５との境界Ｂ５で、明るさ急激に変化しているように見えてしまうという問題を有している。前記境界Ｂ５は、トーンジャンプ境界と称されている。
本発明は、この問題に鑑みなされたものであり、トーンジャンプが目立たない表示板を提供するものである。
【課題を解決するための手段】
【０００７】
本発明は、請求項１に記載のように、多数のドットＰ（ｍ，ｎ）〜Ｐ（ｍ＋５，ｎ＋７）を配列したグラデーション表示部１２を有する表示板であって、前記グラデーション表示部１２は、隣り合う前記ドットが接触する第一の領域Ｓ１と、隣り合う前記ドットが接触しない第二の領域Ｓ２と、隣り合う前記ドットが接触する箇所と隣り合う前記ドットが接触しない箇所とが混在する第三の領域Ｓ３と、を有するものである。
【０００８】
また、本発明は、請求項２に記載のように、前記グラデーション表示部１２は、中心部から周辺部に向かって徐々に明るさが変化しているものである。
【０００９】
また、本発明は、請求項３に記載のように、前記第一の領域Ｓ１と前記第三の領域Ｓ３の境界Ｂ１と、前記第三の領域Ｓ３と前記第二の領域Ｓ２との境界Ｂ２とが、同心円状になっているものである。
【発明の効果】
【００１０】
隣り合うドットが接触する箇所と、隣り合うドットが接触しない箇所とが混在する第三の領域を設けたことにより、トーンジャンプが目立たない。
【図面の簡単な説明】
【００１１】
【図１】本発明の実施形態を示す正面図。
【図２】同上実施形態を示す正面図。
【図３】同上実施形態を示す模式図。
【図４】同上実施形態を示す模式図。
【図５】従来例を示す模式図。
【図６】同上従来例を示す模式図。
【発明を実施するための形態】
【００１２】
以下、本発明を指示計器装置の表示板１０に適用した一実施形態を説明する。指示計器装置は、回動する指針２０にて表示板１０を指示することにより、車両速度及びエンジン回転数を表示する。表示板１０は、発光素子（図示しない）によって、透過照明される。
【００１３】
表示板１０は、指針２０に指示される指標部１１（目盛り，数字），グラデーション表示部１２等がスクリーン印刷によって形成されている。グラデーション表示部１２は、グラデーション方向が径方向になっており、中心部（指針２０の回動中心Ａ）から周辺部に向かって明るさが徐々に明るくなっている。
【００１４】
グラデーション表示部１２は、非接触領域Ｓ１と、接触領域Ｓ２と、非接触領域Ｓ１と接触領域Ｓ２との間にある混在領域Ｓ３とを有している。非接触領域Ｓ１及び混在領域Ｓ３は、環状になっている。非接触領域Ｓ１と混在領域Ｓ３との境界Ｂ１、混在領域Ｓ３と接触領域Ｓ２と境界Ｂ２は、同心円状になっている。グラデーション表示部１２の色は任意である。
【００１５】
図３は、グラデーション表示部１２の一部分Ｆを拡大した模式図である。理解を助けるため、ドットＰ（ｍ，ｎ）〜Ｐ（ｍ＋５，ｎ＋７）を大きく図示しているが、実際には、各領域Ｓ１，Ｓ２，Ｓ３に多数のドットが配列されている。グラデーション表示部１２のスクリーン印刷は、１００線（１００ＬＰＩ）以上が望ましい。
【００１６】
グラデーション表示部１２の前記一部分Ｆは、指針２０の回動中心Ａの左側箇所であり、左側から右側に向かって明るさが徐々に暗くなっている。また、グラデーション方向は、横方向になっている。ドットＰ（ｍ，ｎ）〜Ｐ（ｍ＋５，ｎ＋７）は正方形になっており、縦方向，横方向に均等な間隔Ｄで配列されている。ドットＰ（ｍ，ｎ）〜Ｐ（ｍ＋５，ｎ＋７）の大きさは、グラデーション方向において不規則になっている。
【００１７】
非接触領域Ｓ１は、隣り合うドットＰ（ｍ，ｎ）〜Ｐ（ｍ＋５，ｎ＋１）が接触しない領域である。接触領域Ｓ２は、隣り合うドットＰ（ｍ，ｎ＋５）〜Ｐ（ｍ＋５，ｎ＋７）が接触する領域である。混在領域Ｓ３は、隣り合うドットが接触しない箇所と、隣り合うドットが接触する箇所とが混在する領域である。
【００１８】
図４は、隣り合うドットと接触しないドットを白丸、接触する部分を有するドットを黒丸で表したものである。非接触領域Ｓ１においては、全てのドットＰ（ｍ，ｎ）〜Ｐ（ｍ＋５，ｎ＋１）が、隣り合うドットと接触していない。接触領域Ｓ２においては、全てのドットＰ（ｍ，ｎ＋５）〜Ｐ（ｍ＋５，ｎ＋７）が、接触する部分を有する。混在領域Ｓ３においては、隣り合うドットと接触しないドットと、接触する部分を有するドットとが混在している。
【００１９】
本実施形態によれば、第三の領域Ｓ３において、隣り合うドットが接触する箇所と、隣り合うドットが接触しない箇所とが混在するため、トーンジャンプが目立たない。なお、本発明は、本実施形態に限定されるものではなく、種々の変形が可能である。例えば、本実施形態のグラデーション表示部１２は明るさが徐々に変化するものであったが、色が徐々に変化するグラデーション表示部であっても良い。また、本実施形態のドットの形状は正方形であったが、菱形，円形，楕円形であっても良い。
【符号の説明】
【００２０】
１２  グラデーション表示部
Ｓ１  第一の領域
Ｓ２  第二の領域
Ｓ３  第三の領域
Ｂ１  境界
Ｂ２  境界
Ｐ（ｍ，ｎ）〜Ｐ（ｍ＋５，ｎ＋７）  ドット
【図１】
2012194217.tif 000003
【図２】
2012194217.tif 000004
【図３】
2012194217.tif 000005
【図４】
2012194217.tif 000006
【図５】
2012194217.tif 000007
【図６】
2012194217.tif 000008